(57)【要約】【課題】簡易な構造により柵高の変位を抑制しつつ、菱形金網による衝撃吸収性能を格段に向上できる、防護柵を提供すること。【解決手段】複数の支柱３０の間に菱形金網１０を横架した防護柵であって、菱形金網１０が２本の列線１１，１１により画成される網目１３が縦長の菱形を呈し、網目１３の上下方向の対向角θ１が鋭角に形成されていると共に、網目１３の左右方向の対向角θ２が鈍角に形成されている。【選択図】図１
0003208783.tif 000002
【実用新案登録請求の範囲】
【請求項１】
複数の支柱の間に菱形金網を横架した防護柵であって、
前記菱形金網が扁平を呈する２本の列線により画成される網目が縦長の菱形を呈し、
前記網目の上下方向の対向角が鋭角に形成されていると共に、前記網目の左右方向の対向角が鈍角に形成されていることを特徴とする、
防護柵。
【請求項２】
前記菱形金網の上下辺が、隣り合う支柱の間に横設した複数の水平ロープに摺動可能に取り付けられていることを特徴とする、請求項１に記載の防護柵。
【請求項３】
前記菱形金網の左右辺が、隣り合う支柱に取付けられていることを特徴とする、請求項１又は２に記載の防護柵。
【請求項４】
前記菱形金網の列線の端末部が菱形金網の上下辺に位置することを特徴とする、請求項１乃至３の何れか一項に記載の防護柵。
【請求項５】
前記網目の左右方向の対向角が１４０°〜１００°であることを特徴とする、請求項１に記載の防護柵。
【請求項６】
前記網目の左右方向の対向角が１２０°（プラスマイナス１０°）であることを特徴とする、請求項１に記載の防護柵。
【考案の詳細な説明】
【技術分野】
【０００１】
本考案は落石、雪崩、崩落土砂等の巨大な崩落物を捕捉する防護柵に関し、特に改良した菱形金網を具備した防護柵に関する。
【背景技術】
【０００２】
この種の防護柵は間隔を隔てて立設した支柱間に防護ネットが横架してある。衝撃力が小規模の防護柵では防護ネットとして菱形金網を単独で用い、衝撃力が中規模以上になると、ワイヤーロープと菱形金網を組み合せている（特許文献１，２）。
一般に菱形金網は複数のらせん形の列線を互いに絡み合せて形成されていて、ＪＩＳ規格（ＪＩＳ  Ｇ３５５２）では列線の屈曲部の加工角度が８５°を標準としている。
図４を参照して従来の防護柵用の菱形金網２０について説明する。
菱形金網２０はその上下辺が支柱３０の頭部間及び裾部間に掛け渡された水平ロープ３１に対して連結コイル３２等を巻き付けて連結されている。
防護柵用の菱形金網では、縦向きに配列した２本の列線２１で囲まれた網目２３が方形又は横長の菱形に形成されている場合が多い。
網目２３が横長を呈する場合、網目２３の上下方向の対向角θ１が鈍角で、左右方向の対向角θ２が鋭角に形成されている。
防護柵の組立てにあたっては、ナックル加工、ツイスト加工等を施した列線２１の端末部２２群が金網本体の上下辺に位置させ、菱形金網２０の上下辺を水平ロープ３１に取付けている。
そして、落石等が衝突すると、菱形金網２０が谷側に向けて変形する際に列線２１の塑性変形に伴い、網目２３が横長から縦長に変形する際の変形抵抗と、金網の厚み方向へ向けた変形抵抗とにより衝撃エネルギーを吸収させている。
【先行技術文献】
【特許文献】
【０００３】
【特許文献１】特開２００９−２４３７８号公報
【特許文献２】特開２００９−１４４４７２号公報
【考案の概要】
【考案が解決しようとする課題】
【０００４】
従来の防護柵は次の解決すべき課題を内包している。
＜１＞網目２３が横長の菱形を呈する菱形金網２０では、網目２３の左右方向の対向角θ２が鋭角であるため、受撃した時に菱形金網２０の横方向Ｘへ向けた変形量が限定されてしまう。
＜２＞網目２３が横長の菱形を呈する菱形金網２０では、縦方向Ｙへ向けた変形量が大きい反面、横方向Ｘへ向けた伸び変形量が小さいために、菱形金網２０が本来有している衝撃吸収性能を十分に発揮できていない。
＜３＞網目２３が正方形の菱形を呈する菱形金網２０では、受撃時における縦方向Ｙと横方向Ｘへ向けた変形量に差が生じ難い。
＜４＞菱形金網２０の上下左右の四辺を拘束した防護柵が知られている。
この菱形金網２０に衝撃が作用した場合、網目２３の四つ角に均等に力が作用するため、網目２３は横長の菱形が正方形に変形するに留まり、網目２３を大きく変形させることができない。
＜５＞菱形金網２０の衝撃吸収性能を高めるには、金網本体の厚みを増したり、列線２１を複数の鋼より線で構成したりすることが知られているが、菱形金網２０の重量や容量が増してコスト高となる。
【０００５】
本考案は以上の点に鑑みて成されたもので、その目的とするところは、簡易な構造により柵高の変位を抑制しつつ、菱形金網による衝撃吸収性能を格段に向上できる、防護柵を提供することにある。
【課題を解決するための手段】
【０００６】
本考案は、複数の支柱の間に菱形金網を横架した防護柵であって、前記菱形金網が扁平を呈する２本の列線により画成される網目が縦長の菱形を呈し、前記網目の上下方向の対向角が鋭角に形成されていると共に、前記網目の左右方向の対向角が鈍角に形成されていることを特徴とする。
本考案の他の形態において、前記菱形金網の上下辺が、隣り合う支柱の間に横設した複数の水平ロープに摺動可能に取り付けられている。
本考案の他の形態において、前記菱形金網の左右辺が、隣り合う支柱に取付けられている。
本考案の他の形態において、前記菱形金網の列線の端末部が菱形金網の上下辺に位置している。
本考案の他の形態において、前記網目の左右方向の対向角が１４０°〜１００°であるか、又は１２０°（プラスマイナス１０°）である。
【考案の効果】
【０００７】
本考案は菱形金網の網目を縦長の菱形に形成した簡易な構造により、柵高の変位を抑制しつつ、菱形金網による衝撃吸収性能を格段に向上することができる。
更に本考案では、金網本体の厚みを増したり、列線を複数の鋼より線で構成したりせずに、扁平の菱形金網でありながら網目形状を変えることで高い衝撃吸収性能を発揮できるので、菱形金網の重量や容量が増する問題やコスト高の問題も解消することができる。
【図面の簡単な説明】
【０００８】
【図１】本考案に係る防護柵の説明図であり、（ａ）は防護柵の正面図、（ｂ）は菱形金網の縦断面図
【図２】受撃前の菱形金網の正面図
【図３】受撃時の菱形金網の正面図
【図４】従来の防護柵用金網の説明図
【考案を実施するための形態】
【０００９】
図面を参照しながら本考案を実施するための好適な形態について説明する。
【００１０】
＜１＞防護柵
図１を参照して本考案の防護柵について説明すると、防護柵は所定の間隔を隔てて立設した複数の支柱３０と、隣り合う支柱３０の間に掛け渡した帯状の菱形金網１０と、菱形金網１０を支持する複数の水平ロープ３１とを具備している。
隣り合う支柱３０の頭部間及び裾部間には複数の水平ロープ３１が多段的に掛け渡してある。
本例では、菱形金網１０の上下辺の網目１３に水平ロープ３１を挿通させて菱形金網１０を支持する形態について説明するが、図４に示したように水平ロープ３１の山側に菱形金網１０を設置し、連結コイル３２等で菱形金網１０を水平ロープ３１に支持させてもよい。
支柱３０の間に横架する水平ロープ３１は２本に限定されず、３本以上であってもよいが、何れの場合も菱形金網１０は水平ロープ３１に対して摺動可能に取り付けられている。
又、本例では、菱形金網１０の左右両辺を例えば支柱３０に固定した縦ロープ３３に取付けた形態を示すが、菱形金網１０の左右両辺は支柱３０に固定せずに、フリーな状態でもよい。
【００１１】
＜２＞菱形金網
菱形金網１０は複数のらせん形の列線１１を互いに係留して扁平に製網した金網であり、起立状態で使用される。
菱形金網１０は支柱３０のスパン単位で横架可能な全長を有するか、或いは複数のスパンに跨って横架できる全長を有している。
本考案では、柵高の変位量を小さく抑制しつつ、金網本体が本来有する変形性能を発揮し易くするように、網目１３の形状を改良したものである。
【００１２】
＜２．１＞列線の配列方向
複数の列線１１はすべて縦向きで使用する。
したがって、菱形金網１０の上下辺にナックル加工、ツイスト加工等を施した列線１１の端末部１２群が位置すると共に、菱形金網１０の左右両辺に波形を呈する連続した列線１１が位置する。
水平ロープ３１を菱形金網１０の上下辺に挿通する場合、端末部１２を有する最外側の網目１３を避けて、その内方側の網目１３に挿通するとよい。
【００１３】
＜２．２＞網目形状
扁平を呈する２本の列線１１により画成される網目１３は縦長の菱形を呈している。
【００１４】
＜２．３＞網目の角度
網目１３の上下方向の対向角θ１が鋭角に形成され、左右方向の対向角θ２が鈍角に形成されている。
網目１３を縦長の菱形に形成するのは、菱形金網１０の高さ方向の変位量を小さく抑制しつつ、菱形金網１０の変形性能を発揮し易くするためである。
具体的には、列線１１の屈曲角度で求められる網目１３の左右方向の対向角θ２は、１４０°〜１００°の鈍角であり、１２０°（プラスマイナス１０°）が望ましい。
網目１３の左右方向の対向角θ２は１４０°を超えると、列線１１の屈曲加工が困難となり、対向角θ２が１００°を下回ると菱形金網１０が変形性能を十分に発揮することができない。
【００１５】
網目１３の上下方向の対向角θ１は対向角θ２の補角の関係になることから、網目１３の上下方向の対向角θ１は４０°〜８０°の鋭角となり、好適な角度は６０°（プラスマイナス１０°）となる。
【００１６】
＜２．４＞菱形金網の製作
公知の製網機を使用して、列線１１を鈍角加工することで既述した菱形金網１０を製造することが可能である。
製網機を用いた菱形金網の製造方法は周知であるため、その説明を省略する。
製網時における列線加工（線材の折り曲げ加工）において、鈍角加工を連続させることで製造した菱形金網１０は、線材の塑性加工量を低減させ、加工に起因した金属脆性を抑えることができて、金網本体の交点のせん断力に好影響を及ぼす。
【００１７】
［菱形金網の特性］
つぎに防護柵に適用した菱形金網１０の特性について説明する。
【００１８】
＜１＞網目の内空面積
２本の列線で構成される網目は、同一網目寸法であれば、鈍角加工を施した菱形金網１０の網目１３の内空面積と、標準角８５°で製造した網目の内空面積を比較した場合、前者の網目１３の内空面積の方が狭くなるので、菱形金網１０からの小石等の小径崩落物の流出を抑制することができる。
【００１９】
＜２＞受撃時における網目の形状変化
図２，３を参照して受撃時における網目１３の形状変化について詳しく説明する。図２は受撃前の網目１３を示し、図３は受撃時の網目１３を示している。
菱形金網１０に落石等が衝突すると、菱形金網１０が谷側に向けて変形する。
この際、網目１３に縦横方向へ向けて引張力が作用することで、網目１３が縦長の菱形から横長の菱形へと変形する。
以下に網目１３の形状変化に伴う網目１３の角度変化と寸法変化について詳しく説明する。
【００２０】
＜２．１＞網目の角度変化
受撃前の網目１３が縦長の菱形を呈するため、菱形金網１０が受撃すると網目１３の上下方向の対向角θ１が漸増しつつ、網目１３の左右方向の対向角θ２が漸減する。
すなわち、網目１３の上下方向の対向角θ１は鋭角から鈍角へ変化しつつ、網目１３の左右方向の対向角θ２が鈍角から鋭角へ変化する。
【００２１】
＜２．２＞網目の寸法変化
網目１３の上下方向の対向角θ１の角度変化に伴い、変形前の網目１３の横幅はＬ１からＬ２へ拡張する。
網目１３の左右方向の対向角θ２の角度変化に伴い、変形前の網目１３の高さはＨ１からＨ２に縮小するが、その変位量は極僅かである。
これは網目１３の鋭角側（対向角θ１）である菱形金網１０の上下辺が拘束されていて、網目１３の上下方向へ向けた変位が規制されるためである。
したがって、受撃時において、網目１３の横幅は大きく拡張するが、高さはそれほど変化しない。
【００２２】
＜３＞菱形金網の縦横方向の変位量
既述したように、受撃時に網目１３が縦長の菱形から横長の菱形へと変形することに伴い、菱形金網１０全体では縦方向Ｙへ向けた変位量が小さく抑制される一方で、横方向Ｘへ向けた伸び変位量が大きくなる。
つまり菱形金網１０は高さ方向の寸法はほとんど変わらないため、防護柵の柵高変位を小さく抑制できる。
【００２３】
＜４＞衝撃エネルギーの吸収
上記したように菱形金網１０による横方向Ｘへ向けた伸び変形量が非常に大きくなるため、従来と比べて従来と比べて衝撃吸収性能が格段に向上する。
特に、列線２１の加工角度を鈍角にして製造した菱形金網１０では、面外荷重に対する変形特性が、標準角８５°で製造した菱形金網と比較して優位である。
【符号の説明】
【００２４】
１０・・・・菱形金網
１１・・・・列線
１２・・・・端末部
１３・・・・網目
３０・・・・支柱
３１・・・・水平ロープ
３３・・・・縦ロープ
【図１】
0003208783.tif 000003
【図２】
0003208783.tif 000004
【図３】
0003208783.tif 000005
【図４】
0003208783.tif 000006